(57)【要約】【課題】ユニットキャビンの幅方向（長手方向と直交する方向）に隣り合う２つのユニットキャビンを所定の位置に据え付ける際に船殻ピラーが干渉してしまう場合でも、ユニットキャビンを所定の位置に容易に据え付けることができるユニットキャビンおよびその据え付け方法を提供すること。【解決手段】陸上にて組み立てられた後、船体の居住区に搭載されてキャビンを形成するユニットキャビン１０であって、長手方向において少なくとも二つの分割体１１，１２に分割されていることを特徴とする。【選択図】図４
2014133519.tif 000002
【特許請求の範囲】
【請求項１】
陸上にて組み立てられた後、船体の居住区に搭載されてキャビンを形成するユニットキャビンであって、
長手方向において少なくとも二つの分割体に分割されていることを特徴とするユニットキャビン。
【請求項２】
前記分割体を構成する壁パネルの内面には、設備品が地上にて予め取り付けられていることを特徴とする請求項１に記載のユニットキャビン。
【請求項３】
前記分割体を構成する前記壁パネルの長手方向における端部に、前記船体の船殻ピラーを取り囲むようにして形成された凹所が設けられていることを特徴とする請求項１または２に記載のユニットキャビン。
【請求項４】
前記分割体同士を接合するボルトが、前記壁パネルの前記ユニットキャビンの外面から前記ボルトの頭が突出し、前記ユニットキャビンの内面には前記ボルトの先端が突出しないようにして締結されていることを特徴とする請求項１から３のいずれか一項に記載のユニットキャビン。
【請求項５】
請求項１から４のいずれか一項に記載のユニットキャビンを搭載していることを特徴とする船舶。
【請求項６】
陸上にて組み立てられた後、船体の居住区に搭載されてキャビンを形成するとともに、長手方向において第１の分割体と、第２の分割体とに二分割されているユニットキャビンの据え付け方法であって、
前記第１の分割体を、前記船体の船殻ピラーをかわすように一方向に回転させながら所定の位置まで移動させる工程と、
前記第２の分割体を、前記船体の船殻ピラーをかわすように前記一方向と反対の方向に回転させながら所定の位置まで移動させる工程と、
前記第１の分割体と、前記第２に分割体とを接合する工程と、を備えていることを特徴とするユニットキャビンの据え付け方法。
【請求項７】
陸上にて組み立てられた後、船体の居住区に搭載されてキャビンを形成するとともに、長手方向において第１の分割体と、第２の分割体とに二分割されているユニットキャビンの据え付け方法であって、
前記第１の分割体を、前記船体の船殻ピラーをかわすように一方向に回転させながら所定の位置まで移動させる工程と、
前記第２の分割体を構成する前記壁パネルの長手方向における端部に、前記船体の船殻ピラーを取り囲むようにして形成された凹所内に前記船殻ピラーが位置するように移動しセットした後、前記船殻ピラーを中心に前記凹所が回転するように前記一方向と反対の方向に回転させながら所定の位置まで移動させる工程と、
前記第１の分割体と、前記第２に分割体とを接合する工程と、を備えていることを特徴とするユニットキャビンの据え付け方法。
【請求項８】
前記第１の分割体と、前記第２の分割体とを接合する工程において、前記第１の分割体と、前記第２の分割体とを接合するボルトを、前記第１の分割体および前記第２の分割体を構成する壁パネルの前記ユニットキャビンの外面から挿入しその頭が突出するようにして締結することを特徴とする請求項６または７に記載のユニットキャビンの据え付け方法。
【発明の詳細な説明】
【技術分野】
【０００１】
本発明は、船舶（例えば、客船）の居住区に搭載されてキャビン（客室：居室）を形成するユニットキャビンおよびその据え付け方法に関するものである。
【背景技術】
【０００２】
船体内に設置される客室や居室であるキャビンは、船内にて各キャビンを個々に組み立てる工法もあるが、船外にてキャビンを組み立てて船体内に搬入し据え付けるユニットキャビン工法がある。従来のユニットキャビン（キャビンユニット：プレハブキャビン）としては、例えば、特許文献１，２に記載されたユニットキャビンが知られている。
【先行技術文献】
【特許文献】
【０００３】
【特許文献１】特開平６−１２２３９２号公報
【特許文献２】実開平６−５９１９９号公報
【発明の概要】
【発明が解決しようとする課題】
【０００４】
上記特許文献１，２に記載されたユニットキャビンはそれぞれ、地上にて直方体形状に組み立てられた後、船内に搬入され、所定の位置に据え付けられる。その際、図１９に示すように、ユニットキャビン１００ａ，１００ｂの幅方向（長手方向と直交する方向）に隣り合うようにして所定の位置に据え付けられる２つのユニットキャビン１００ａ，１００ｂの外側に船殻ピラー（柱部材）１０１ａ，１０１ｂが位置する場合には、ユニットキャビン１００ａ，１００ｂを所定の位置に容易に据え付けることができる。
【０００５】
一方、図２０（ａ）および図２０（ｂ）に示すように、ユニットキャビン１００ａ，１００ｂの幅方向（長手方向と直交する方向）に隣り合うようにして所定の位置に据え付けられる２つのユニットキャビン１００ａ，１００ｂの長手方向の間の位置に船殻ピラー１０１ａ，１０１ｂが位置してしまう場合、図２０（ａ）に示すように、一方のユニットキャビン１００ａは、船殻ピラー１０１ａ，１０１ｂ、および図中に斜線で示す既設の設備等により、ユニットキャビン１００ａ，１００ｂの取り回しができない領域を回避しながら据付のために搬送することができる。
しかしながら、図２０（ｂ）に示すように、他方のユニットキャビン１００ｂの据付のために搬送する際には、ユニットキャビン１００ｂ（より詳しくは、ユニットキャビン１００ｂを構成する壁パネル（壁体））が船殻ピラー１０１ｂに干渉しないように、ユニットキャビン１００ｂの搬送方向を限定する必要があり、さらには図中に斜線で示す既設の設備等により、ユニットキャビン１００ａ，１００ｂの取り回しができない領域を回避しながら据付のために搬送する場合には、ユニットキャビン１００ｂが船殻ピラー１０１ｂに干渉して、ユニットキャビン１００ｂを所定の位置に容易に据え付けることができないことがあった。そして、船内に設置するキャビンの一部しかユニットキャビン工法による施工ができない場合には、ユニットキャビン工法のキャビン数を限定するか、もしくはユニットキャビン工法を全く用いずに、各キャビンを船内にて個々に組み立てる工法を採用ことになり、艤装工期が長期化したり、キャビンの品質確保に労力を要する場合があった。
なお、図１９中および図２０中の符号１０２は船体外板（外壁）である。また、船殻ピラー１０１ａ，１０１ｂは、船殻の強度確保に必要なデッキ間に設置する柱であるため、必ずしもユニットキャビン１００ａ，１００ｂの配置を考慮してユニットキャビン１００ａ，１００ｂに対して、干渉しない位置に配置することができない場合がある。
【０００６】
本発明は、上記課題を解決するためになされたものであり、ユニットキャビンの幅方向（長手方向と直交する方向）に隣り合う２つのユニットキャビンを所定の位置に据え付ける際に船殻ピラーが干渉してしまう場合でも、ユニットキャビンを所定の位置に容易に据え付けることができるユニットキャビンおよびその据え付け方法を提供することを目的とする。
【課題を解決するための手段】
【０００７】
本発明は、上記の課題を解決するため、下記の手段を採用した。
本発明に係るユニットキャビンは、陸上にて組み立てられた後、船体の居住区に搭載されてキャビンを形成するユニットキャビンであって、長手方向において少なくとも二つの分割体に分割されていることを特徴とする。
【０００８】
本発明に係るユニットキャビンによれば、長手方向において分割された分割体は長手方向に短くなるために搬送方向の向きを変更する自由性が増加し、船殻ピラーをかわすようにして（船殻ピラーに当たらないようにして）、順次据え付けていくことにより、ユニットキャビンの幅方向（長手方向と直交する方向）に隣り合う２つのユニットキャビンを所定の位置に据え付ける際に船殻ピラーが干渉してしまう場合でも、ユニットキャビンを所定の位置に容易に据え付けることができる。
【０００９】
上記ユニットキャビンにおいて、前記分割体を構成する壁パネルの内面には、設備品が地上にて予め取り付けられているとさらに好適である。
【００１０】
このようなユニットキャビンによれば、陸上の作業環境の良い場所でユニットキャビンが施工されることになるため、キャビンの品質確保が容易になる。
また、キャビンを設置する艤装時間を短縮することができ、建造期間の短縮を図ることができる。
【００１１】
上記ユニットキャビンにおいて、前記分割体を構成する壁パネルの長手方向における端部に、前記船体の船殻ピラーを取り囲むようにして形成された凹所が設けられているとさらに好適である。
【００１２】
このようなユニットキャビンによれば、凹所内に船殻ピラーが位置するようにセットした後、船殻ピラーを中心に凹所が回転するようにして分割体を回転させることで、分割体の移動ルートに試行錯誤することなく所定の位置に容易に据え付けることができる。
また、凹所を形成する部分だけがユニットキャビンの室内側に突出することになるので隣室の壁パネルとの隙間スペースを最小に保ちながら、キャビン室内空間の減少を最小限に抑えることができる。
【００１３】
上記ユニットキャビンにおいて、前記分割体同士を接合するボルトが、前記壁パネルの外面から前記ボルトの頭が突出するようにして締結されているとさらに好適である。
【００１４】
このようなユニットキャビンによれば、ボルトの頭がキャビン室外側だけに突出し、キャビン室内側の壁面を平滑に保つことができ、キャビン室内の美観が損なわれるのを回避することができる。
【００１５】
本発明に係る船舶は、上記いずれかの態様に係るユニットキャビンを具備している。
【００１６】
本発明に係る船舶によれば、船内へ設置するキャビンへのユニットキャビン工法による施工が可能な割合が大幅に向上して、キャビンを設置する艤装時間を短縮することができ、建造期間の短縮を図ることができる。
【００１７】
本発明に係るユニットキャビンの据え付け方法は、陸上にて組み立てられた後、船体の居住区に搭載されてキャビンを形成するとともに、長手方向において第１の分割体と、第２の分割体とに二分割されているユニットキャビンの据え付け方法であって、前記第１の分割体を、前記船体のピラーをかわすように一方向に回転させながら所定の位置まで移動させる工程と、前記第２の分割体を、前記船体のピラーをかわすように前記一方向と反対の方向に回転させながら所定の位置まで移動させる工程と、前記第１の分割体と、前記第２に分割体とを接合する工程と、を備えていることを特徴とする。
【００１８】
本発明に係るユニットキャビンの据え付け方法によれば、長手方向において二分割された第１の分割体および第２の分割体を、船殻ピラーをかわすようにして（船殻ピラーに当たらないようにして）、順次据え付けていくことにより、ユニットキャビンの幅方向（長手方向と直交する方向）に隣り合う２つのユニットキャビンを所定の位置に据え付けることができる。この際に、従来の二分割しないユニットキャビンでは船殻ピラーが干渉してしまう場合でも、本発明に係るユニットキャビンの据え付け方法を用いることでユニットキャビンを所定の位置に容易に据え付けることができる。
このため、船内に設置するキャビンへのユニットキャビン工法による施工が出来る割合が向上して、陸上の作業環境の良い場所でユニットキャビンを施工するため、キャビンの品質確保が容易になる。
【００１９】
本発明に係るユニットキャビンの据え付け方法は、陸上にて組み立てられた後、船体の居住区に搭載されてキャビンを形成するとともに、長手方向において第１の分割体と、第２の分割体とに二分割されているユニットキャビンの据え付け方法であって、前記第１の分割体を、前記船体の船殻ピラーをかわすように一方向に回転させながら所定の位置まで移動させる工程と、前記第２の分割体を構成する前記壁パネルの長手方向における端部に、前記船体の船殻ピラーを取り囲むようにして形成された凹所内に前記船殻ピラーが位置するように移動しセットした後、前記船殻ピラーを中心に前記凹所が回転するように前記一方向と反対の方向に回転させながら所定の位置まで移動させる工程と、前記第１の分割体と、前記第２に分割体とを接合する工程と、を備えている。
【００２０】
本発明に係るユニットキャビンの据え付け方法によれば、長手方向において二分割された第１の分割体および第２の分割体を、船殻ピラーをかわすようにして（船殻ピラーに当たらないようにして）、順次据え付けていくことにより、ユニットキャビンの幅方向（長手方向と直交する方向）に隣り合う２つのユニットキャビンを所定の位置に据え付けることができる。この際に、従来の二分割しないユニットキャビンでは船殻ピラーが干渉してしまう場合でも、本発明に係るユニットキャビンの据え付け方法を用いることでユニットキャビンを所定の位置に容易に据え付けることができる。
このため、船内に設置するキャビンへのユニットキャビン工法による施工が出来る割合が向上して、陸上の作業環境の良い場所でユニットキャビンを施工するため、キャビンの品質確保が容易になる。
【００２１】
上記ユニットキャビンの据え付け方法において、前記第１の分割体と、前記第２の分割体とを接合する工程において、前記第１の分割体と、前記第２の分割体とを接合するボルトを、前記第１の分割体および前記第２の分割体を構成する壁パネルの外面からその頭が突出するようにして締結するようにするとさらに好適である。
【００２２】
このようなユニットキャビンの据え付け方法によれば、ボルトの頭が室外側だけに突出し、室内側の壁面を平滑に保つことができ、室内の美観が損なわれるのを回避することができる。
【発明の効果】
【００２３】
本発明に係るユニットキャビンおよびその据え付け方法によれば、ユニットキャビンの幅方向（長手方向と直交する方向）に隣り合う２つのユニットキャビンを所定の位置に据え付ける際に船殻ピラーが干渉してしまう場合でも、ユニットキャビンを所定の位置に容易に据え付けることができるという効果を奏する。
【図面の簡単な説明】
【００２４】
【図１】本発明の第１実施形態に係るユニットキャビンの据え付け方法を説明するための平面図である。
【図２】本発明の第１実施形態に係るユニットキャビンの据え付け方法を説明するための平面図である。
【図３】本発明の第１実施形態に係るユニットキャビンおよびその据え付け方法を説明するための平面図である。
【図４】本発明の第１実施形態に係るユニットキャビンおよびその据え付け方法を説明するための平面図である。
【図５】第１の分割体と、第２の分割体とを接合（連結）する接合（連結）構造を説明するための平面図である。
【図６】本発明の第２実施形態に係るユニットキャビンの据え付け方法を説明するための平面図である。
【図７】本発明の第２実施形態に係るユニットキャビンの据え付け方法を説明するための平面図である。
【図８】本発明の第２実施形態に係るユニットキャビンおよびその据え付け方法を説明するための平面図である。
【図９】本発明の第２実施形態に係るユニットキャビンおよびその据え付け方法を説明するための平面図である。
【図１０】第１の分割体と、第２の分割体とを接合（連結）する接合（連結）構造を説明するための平面図である。
【図１１】本発明の第３実施形態に係るユニットキャビンの据え付け方法を説明するための平面図である。
【図１２】本発明の第３実施形態に係るユニットキャビンの据え付け方法を説明するための平面図である。
【図１３】本発明の第３実施形態に係るユニットキャビンおよびその据え付け方法を説明するための平面図である。
【図１４】本発明の第３実施形態に係るユニットキャビンおよびその据え付け方法を説明するための平面図である。
【図１５】本発明が適用され得るユニットキャビンのタイプを説明するための平面図である。
【図１６】本発明が適用され得るユニットキャビンのタイプを説明するための平面図である。
【図１７】本発明が適用され得るユニットキャビンのタイプを説明するための平面図である。
【図１８】本発明が適用され得るユニットキャビンのタイプを説明するための平面図である。
【図１９】従来の課題を説明するための平面図である。
【図２０】従来の課題を説明するための平面図である。
【発明を実施するための形態】
【００２５】
〔第１実施形態〕
以下、本発明の第１実施形態に係るユニットキャビンおよびその据え付け方法について、図１から図５を用いて説明する。
図４に示すように、本実施形態に係るユニットキャビン１０は、全体として平面視長方形状を呈するとともに、長手方向において第１の分割体１１と、第２の分割体１２とに二分割され得るものである。
なお、図１から図４中の符号１００は、全体として平面視長方形状を呈するとともに、長手方向において分割され得ない、従来と同様の一体型のユニットキャビン、符号１０１ａ，１０１ｂは船殻ピラー、符号１０２は船体外板（外壁）である。
また、船殻ピラー１０１ａ，１０１ｂは、船首尾方向および船幅方向に沿って立設されており、船首尾方向に沿って立設された２本の船殻ピラー１０１ａ，１０１ｂの間に、２個１組のユニットキャビン１０，１００が据え付けられることになる。
【００２６】
図３および図４に示すように、第１の分割体１１は、対向して配置された２枚の（第１の）壁パネル（壁体）２１，２２と、これら壁パネル２１，２２を連結する１枚の（第２の）壁パネル（壁体）２３と、を備えている。
図４に示すように、第２の分割体１２は、対向して配置された２枚の（第１の）壁パネル（壁体）２４，２５と、これら壁パネル２４，２５を連結する１枚の（第２の）壁パネル（壁体）２６と、を備えている。
【００２７】
図４に実線で示すように、壁パネル２１および壁パネル２４は、据え付けられた際（据え付けが完了した際）に壁パネル２１と壁パネル２４とで同一壁面（平面）が形成されるように配置され、壁パネル２２および壁パネル２５は、据え付けられた際に壁パネル２２と壁パネル２５とで同一壁面（平面）が形成されるように配置されており、壁パネル２３および壁パネル２６は、据え付けられた際に対向するように配置されている。
壁パネル２１，２２，２３，２４，２５，２６の内面（内側面）には、図１に例示するベッド、化粧デスク、据え付け家具、ワードローブ等の収納スペースや、照明器具、分電盤、コンセント、ダクト、スプリンクラー等の設備品が、地上にて予め取り付けられている。また、ユニットバスはスペースを設けておき、船内で取り付けを行う。
なお、分電盤は、出入口１１６（図１参照）が設けられる壁パネル２６の上方に取り付けられている。
【００２８】
第１の分割体１１と第２の分割体１２との分割位置は、後述するように船内を搬送し据え付ける際に、船殻ピラー１０１ｂをかわすような位置で分割するとともに、後に接合（連結）される分割部分がユニットキャビン１０の室内側より見えないように、化粧デスク、据え付け家具、収納スペース等の設備品で隠れることで、美観を損なわないような分割位置を選定する。
したがって、分割位置は、ユニットキャビン１０を設置する場所に対する船殻ピラー１０１の位置により複数のパターンが存在する。
【００２９】
第１の分割体１１と、第２の分割体１２とは、搬送後の据え付け時に、例えば、図５に示すような接合（連結）構造３１を介して接合（連結）される。
接合構造３１は、雌部３２と、雄部３３と、を備えている。
雌部３２は、雄部３３を受け入れる断面視コ字形状を呈する凹所であり、壁体２１，２２の高さ方向（紙面に対して垂直な方向）に沿って壁体２１，２２の端面２１ａ，２２ａから彫り込まれるようにして設けられている。
【００３０】
また、壁体２１，２２の外側（ユニットキャビン１０の室外側）に位置して雌部３２を形成する舌片部３４には、板厚方向（図において上下方向）に貫通してボルト３５が挿通される貫通穴３６が壁体２１，２２の高さ方向に沿って複数個設けられている。
一方、壁体２１，２２の内側（ユニットキャビン１０の室内側）に位置して雌部３２を形成する舌片部３７には、ボルト３５の先端部外周面に設けられた雄部（図示せず）と螺合する雌部が内周面に設けられたボルト穴３８が壁体２１，２２の高さ方向に沿って複数個設けられている。
なお、ボルト穴３８は板厚方向に貫通しておらず、壁体２１，２２の内面にボルト穴３８はユニットキャビン１０の室内側からは見えていないので美観を損なわない。
【００３１】
雄部３３は、雌部３２に嵌り込む断面視一字形状を呈する凸部であり、壁体２４，２５の高さ方向（紙面に対して垂直な方向）に沿って壁体２４，２５の端面２４ａ，２５ａから突出するようにして設けられている。
また、雄部３３の長さ方向（図において左右方向）における中央部には、板厚方向（図において上下方向）に貫通してボルト３５が挿通される貫通穴３９が壁体２４，２５の高さ方向に沿って複数個設けられている。
【００３２】
つぎに、本実施形態に係るユニットキャビン１０の据え付け方法を説明する。
まず、図１に示すように、地上にて直方体形状に組み立てられた一体型のユニットキャビン１００をクレーン等で吊り上げて船内に搬入し、ユニットキャビン１００に仮付けされたキャスター等を用いて、図１に白抜き矢印で示すように移動させ、ユニットキャビン１００を図２に示す所定の位置まで移動させる。
ユニットキャビン１００が所定の位置まで移動したら、ユニットキャビン１００に仮付けされていたキャスター等を取り外し、ユニットキャビン１００を所定の位置に据え付け（固定）をする。
【００３３】
つづいて、図３に示すように、地上にて組み立てられた分割型のユニットキャビン１０の第１の分割体１１および第２の分割体１２をクレーン等で吊り上げて船内に搬入し、第１の分割体１１に仮付けされたキャスター等を用いて、図３に実線矢印で示すように、船殻ピラー１０１ｂをかわすように（船殻ピラー１０１ｂに当たらないように）第１の分割体１１を上方から見て時計方向に回転させながら第１の分割体１１を図３に実線で示す所定の位置まで移動させる。
つぎに、図４に示すように、第２の分割体１２に仮付けされたキャスター等を用いて、図４に実線矢印で示すように、船殻ピラー１０１ｂをかわすように（船殻ピラー１０１ｂに当たらないように）第２の分割体１２を上方から見て反時計方向に回転させながら第２の分割体１２を図４に実線で示す所定の位置まで移動させる。
【００３４】
つづいて、ユニットキャビン１０の室外側から複数本のボルト３５を挿入して順次締め付けていき、第１の分割体１１と第２の分割体１２とを接合（連結）する。
第１の分割体１１と第２の分割体１２とを接合したら、第１の分割体１１および第２の分割体１２に仮付けされていたキャスター等を取り外し、第１の分割体１１および第２の分割体１２を所定の位置に据え付け（固定し）、天井面を形成する天板（図示せず）を壁体２１，２２，２３，２４，２５，２６の内側に形成された空間の上方を覆う（塞ぐ）ようにして配置し、天板を壁体２１，２２，２３，２４，２５，２６の上端面に固定して、ユニットキャビン１０の据え付けを完了する。
なお、ユニットキャビン１０の床面としては、当該ユニットキャビン１０が設置されるデッキのデッキ上面が利用される。また、別途に、床面を追加して設置しても良い。
【００３５】
また、本実施形態に係るユニットキャビン１０の据え付け方法は、作業スペースの制約により、図１に白抜き矢印で示す方向（図３および図４において右側から左側に向かう方向）にユニットキャビン１０（あるいはユニットキャビン１００）を移動させることができない場合に採用する方法であり、作業スペースの制約がなく、図１に白抜き矢印で示す方向にユニットキャビン１００を移動させることができる場合には、地上にて直方体形状に組み立てられた、図１に示すユニットキャビン１００とは異なるユニットキャビン１００をクレーン等で吊り上げて船内に搬入し、ユニットキャビン１００に仮付けされたキャスター等を用いて、図１に白抜き矢印で示す方向にユニットキャビン１００を所定の位置まで移動させ、ユニットキャビン１００が所定の位置まで移動したら、ユニットキャビン１００に仮付けされていたキャスター等を取り外し、ユニットキャビン１００を所定の位置に据え付ければ（固定すれば）よい。
【００３６】
本実施形態に係るユニットキャビン１０およびその据え付け方法によれば、長手方向において二分割された第１の分割体１１および第２の分割体１２を、船殻ピラー１０１ｂをかわすようにして（船殻ピラー１０１ｂに当たらないようにして）、順次据え付けていくことにより、ユニットキャビンの幅方向（長手方向と直交する方向）に隣り合う２つのユニットキャビン１０，１００を所定の位置に据え付ける際に船殻ピラー１０１ｂが干渉してしまう場合でも、ユニットキャビン１０，１００を所定の位置に容易に据え付けることができる。
そして、本実施形態に係るユニットキャビン１０およびその据え付け方法を用いれば、船内に設置するキャビンへのユニットキャビン工法による施工ができる割合が向上して、陸上の作業環境の良い場所でユニットキャビン１０を施工するため、キャビンの品質確保が容易になる。
また、本実施形態に係るユニットキャビン１０の据え付け方法に係る船舶（例えば、客船）によれば、船内へ設置するキャビンへのユニットキャビン工法による施工が可能な割合が大幅に向上して、キャビンを設置する艤装時間を短縮することができ、建造期間の短縮を図ることができる。
【００３７】
また、本実施形態に係るユニットキャビン１０およびその据え付け方法によれば、第１の分割体１１と第２の分割体１２とを接合するボルト３５が、壁パネル２１，２２，２４，２５の外面からボルト３５の頭が突出するようにして締結されることになるので、ボルト３５の頭がユニットキャビン１０の室外側だけに突出し、ユニットキャビン１０の室内側の壁面を平滑に保つことができ、ユニットキャビン１０の室内の美観が損なわれるのを回避することができる。
【００３８】
〔第２実施形態〕
本発明の第２実施形態に係るユニットキャビンおよびその据え付け方法について、図６から図１０を用いて説明する。
図４に示すように、本実施形態に係るユニットキャビン４０は、全体として平面視（略）長方形状（コ字形状）を呈するとともに、長手方向において第１の分割体４１と、第２の分割体４２とに二分割され得るものである。
なお、図６から図９中の符号２００は、全体として平面視（略）長方形状（コ字形状）を呈するとともに、長手方向において分割され得ない、従来と同様の一体型のユニットキャビン、符号１０１ａ，１０１ｂは船殻ピラー、符号１０２は船体外板（外壁）である。
また、船殻ピラー１０１ａ，１０１ｂは、船首尾方向および船幅方向に沿って立設されており、船首尾方向に沿って立設された２本の船殻ピラー１０１ａ，１０１ｂの間に、２個１組のユニットキャビン４０，２００が据え付けられることになる。
【００３９】
図８および図９に示すように、第１の分割体４１は、対向して配置された２枚の（第１の）壁パネル（壁体）５１，５２と、これら壁パネル５１，５２を連結する１枚の（第２の）壁パネル（壁体）５３と、を備えている。
図９に示すように、第２の分割体４２は、対向して配置された２枚の（第１の）壁パネル（壁体）５４，５５と、これら壁パネル５４，５５を連結する１枚の（第２の）壁パネル（壁体）５６と、を備えている。
【００４０】
図９に実線で示すように、壁パネル５１および壁パネル５４は、据え付けられた際（据え付けが完了した際）に壁パネル５１と壁パネル５４とで同一壁面（平面）が形成されるように配置され、壁パネル５２および壁パネル５５は、据え付けられた際に壁パネル５２と壁パネル５５とで同一壁面が形成されるように配置されており、壁パネル５３および壁パネル５６は、据え付けられた際に対向するように配置されている。
壁パネル５１，５２，５３，５４，５５，５６の内面（内側面）には、図１に例示するベッド１１１、化粧デスク１１２、据え付け家具１１３、ワードローブ等の収納スペース１１４や、照明器具、分電盤、コンセント、ダクト、スプリンクラー等の設備品が、地上にて予め取り付けられている。また、ユニットバス１１５はスペースを設けておき、船内で取り付けを行う。
なお、分電盤は、出入口１１６（図１参照）が設けられる壁パネル５６の上方に取り付けられている。
【００４１】
第１の分割体４１と第２の分割体４２との分割位置は、後述するように船内を搬送し据え付ける際に、船殻ピラー１０１ｂをかわすような位置で分割する。また壁パネル５１と５４の分割位置と、もう一方となる凹所を形成する部分に設けられている壁パネル５２と５５の分割位置は、後に接合（連結）される分割部分がユニットキャビン４０の室内側より見えないように、化粧デスク、据え付け家具、収納スペース等の設備品で隠れることで、美観を損なわないような分割位置を選定することが好ましい。
したがって、分割位置は、ユニットキャビン４０を設置する場所に対する船殻ピラー１０１ｂの位置により複数のパターンが存在する。
【００４２】
壁体５５の、壁体５６と連結される側と反対側の端部は、船殻ピラー１０１ｂ（図９参照）を取り囲むような形状、例えば、図１０に示すような断面視コ字形状とされ、壁体５２と、壁体５５とは、例えば、図１０に示すような接合（連結）構造６１を介して接合（連結）される。
接合構造６１は、雌部６２と、雄部６３と、を備えている。
雌部６２は、雄部６３を受け入れる断面視コ字形状を呈する凹所であり、壁体５５の高さ方向（紙面に対して垂直な方向）に沿って壁体５５の端面５５ａから彫り込まれるようにして設けられている。
【００４３】
また、壁体５５の外側（ユニットキャビン４０の室外側）に位置して雌部６２を形成する舌片部６４には、板厚方向（図において上下方向）に貫通してボルト６５が挿通される貫通穴６６が壁体５５の高さ方向に沿って複数個設けられている。
一方、壁体５５の内側（ユニットキャビン４０の室内側）に位置して雌部６２を形成する舌片部６７には、ボルト６５の先端部外周面に設けられた雄部（図示せず）と螺合する雌部が内周面に設けられたボルト穴６８が壁体５５の高さ方向に沿って複数個設けられている。
なお、ボルト穴６８は板厚方向に貫通しておらず、壁体５５の内面にボルト穴６８はユニットキャビン４０の室内側からは見えていないので美観を損なわない。
【００４４】
雄部６３は、雌部６２に嵌り込む断面視一字形状を呈する凸部であり、壁体５２の高さ方向（紙面に対して垂直な方向）に沿って壁体５２の内面５２ａから突出するようにして設けられている。
また、雄部６３の長さ方向（図において上下方向）における中央部には、板厚方向（図において左右方向）に貫通してボルト６５が挿通される貫通穴６９が壁体５２の高さ方向に沿って複数個設けられている。
【００４５】
なお、壁体５１と、壁体５４とは、ユニットキャビン４０の移動後の据え付け時には、例えば、図５に示すような接合（連結）構造３１を介して接合（連結）される。
接合構造３１については、第１実施形態のところで説明したので、ここではその説明を省略する。
【００４６】
つぎに、本実施形態に係るユニットキャビン４０の据え付け方法を説明する。
まず、図６に示すように、地上にて直方体形状に組み立てられた一体型のユニットキャビン２００をクレーン等で吊り上げて船内に搬入し、ユニットキャビン２００に仮付けされたキャスター等を用いて、図６に白抜き矢印で示すように移動させ、ユニットキャビン２００を図７に示す所定の位置まで移動させる。
ユニットキャビン２００が所定の位置まで移動したら、ユニットキャビン２００に仮付けされていたキャスター等を取り外し、ユニットキャビン２００を所定の位置に据え付け（固定）をする。
【００４７】
つづいて、図８に示すように、地上にて組み立てられた分割型のユニットキャビン４０の第１の分割体４１および第２の分割体４２をクレーン等で吊り上げて船内に搬入し、第１の分割体４１に仮付けされたキャスター等を用いて、図８に実線矢印で示すように、船殻ピラー１０１ｂをかわすように（船殻ピラー１０１ｂに当たらないように）第１の分割体４１を上方から見て時計方向に回転させながら第１の分割体４１を図８に実線で示す所定の位置まで移動させる。
つぎに、図９に示すように、第２の分割体４２に仮付けされたキャスター等を用いて、図９に実線矢印で示すように、船殻ピラー１０１ｂをかわすように（船殻ピラー１０１ｂに当たらないように）第２の分割体４２を上方から見て反時計方向に回転させながら第２の分割体４２を図９に実線で示す所定の位置まで移動させる。
【００４８】
つづいて、ユニットキャビン４０の室外側から挿入して複数本のボルト３５，６５を順次締め付けていき、第１の分割体４１と第２の分割体４２とを接合（連結）する。
第１の分割体４１と第２の分割体４２とを接合したら、第１の分割体４１および第２の分割体４２に仮付けされていたキャスター等を取り外し、第１の分割体４１および第２の分割体４２を所定の位置に据え付け（固定し）、天井面を形成する天板（図示せず）を壁体５１，５２，５３，５４，５５，５６の内側に形成された空間の上方を覆う（塞ぐ）ようにして配置し、天板を壁体５１，５２，５３，５４，５５，５６の上端面に固定して、ユニットキャビン４０の据え付けを完了する。
なお、ユニットキャビン４０の床面としては、当該ユニットキャビン４０が設置されるデッキのデッキ上面が利用される。また、別途に、床面を追加して設置しても良い。
【００４９】
本実施形態に係るユニットキャビン４０およびその据え付け方法によれば、長手方向において二分割された第１の分割体４１および第２の分割体４２を、船殻ピラー１０１ｂをかわすようにして（船殻ピラー１０１ｂに当たらないようにして）、順次据え付けていくことにより、ユニットキャビンの幅方向（長手方向と直交する方向）に隣り合う２つのユニットキャビン４０，２００を所定の位置に据え付ける際に船殻ピラー１０１ｂが干渉してしまう場合でも、ユニットキャビン４０，２００を所定の位置に容易に据え付けることができる。
そして、本実施形態に係るユニットキャビン４０およびその据え付け方法を用いれば、船内に設置するキャビンへのユニットキャビン工法による施工ができる割合が向上して、陸上の作業環境の良い場所でユニットキャビン４０を施工するため、キャビンの品質確保が容易になる。
また、本実施形態に係るユニットキャビン４０の据え付け方法に係る船舶（例えば、客船）によれば、船内へ設置するキャビンへのユニットキャビン工法による施工が可能な割合が大幅に向上して、キャビンを設置する艤装時間を短縮することができ、建造期間の短縮を図ることができる。
【００５０】
また、本実施形態に係るユニットキャビン４０およびその据え付け方法によれば、第１の分割体４１と第２の分割体４２とを接合するボルト３５，６５が、壁パネル５１，５２，５４，５５の外面からボルト３５，６５の頭が突出するようにして締結されることになるので、ボルト３５，６５の頭がユニットキャビン４０の室外側だけに突出し、ユニットキャビン４０の室内側の壁面を平滑に保つことができ、ユニットキャビン４０の室内の美観が損なわれるのを回避することができる。
【００５１】
さらに、本実施形態に係るユニットキャビン４０およびその据え付け方法によれば、凹所内に船殻ピラー１０１ｂが位置するように移動しセットした後、船殻ピラー１０１ｂを中心に凹所が回転するようにして第２の分割体４２を回転させるだけで、第２の分割体４２を所定の位置に容易に据え付けることができる。第２の分割体４２の移動するルートに試行錯誤することなく適切な据え付け位置への移動が可能となる。
また、凹所を形成する部分だけがユニットキャビン４０の室内側に突出することになるので、隣室の壁パネルとの隙間スペースを最小に保ちながら、ユニットキャビン４０の室内空間の減少を最小限に抑えることができる。
また、凹所を形成する部分がユニットキャビン４０の室内側より見えないように、化粧デスク、据え付け家具、収納スペース等の設備品で隠れるようにすることで、美観を損なわないようにすることが好ましい。
【００５２】
〔第３実施形態〕
本発明の第３実施形態に係るユニットキャビンおよびその据え付け方法について、図１１から図１４を用いて説明する。
図１４に示すように、本実施形態に係るユニットキャビン７０は、全体として平面視（略）凹形状（コ字形状）を呈するとともに、長手方向において第１の分割体７１と、第２の分割体７２とに二分割され得るものである。
なお、図１１から図１４中の符号３００は、全体として平面視（略）凸形状を呈するとともに、長手方向において分割され得ない、従来と同様の一体型のユニットキャビン、符号１０１ａ，１０１ｂは船殻ピラー、符号１０２は船体外板（外壁）である。
また、船殻ピラー１０１ａ，１０１ｂは、船首尾方向および船幅方向に沿って立設されており、船首尾方向に沿って立設された２本の船殻ピラー１０１ａ，１０１ｂの間に、２個１組のユニットキャビン７０，３００が据え付けられることになる。
【００５３】
図１３および図１４に示すように、第１の分割体７１は、対向して配置された２枚の（第１の）壁パネル（壁体）８１，８２と、これら壁パネル８１，８２を連結する１枚の（第２の）壁パネル（壁体）８３と、を備えている。
図１４に示すように、第２の分割体７２は、対向して配置された２枚の（第１の）壁パネル（壁体）８４，８５と、これら壁パネル８４，８５を連結する１枚の（第２の）壁パネル（壁体）８６と、を備えている。
【００５４】
図１４に実線で示すように、壁パネル８１および壁パネル８４は、据え付けられた際（据え付けが完了した際）に壁パネル８１と壁パネル８４とで同一壁面が形成されるように配置され、壁パネル８２および壁パネル８５は、据え付けられた際に壁パネル８２と壁パネル８５とで同一壁面が形成されるように配置されており、壁パネル８３および壁パネル８６は、据え付けられた際に対向するように配置されている。
壁パネル８１，８２，８３，８４，８５，８６の内面（内側面）には、図１に例示するベッド１１１、化粧デスク１１２、据え付け家具１１３、ワードローブ等の収納スペース１１４や、照明器具、分電盤、コンセント、ダクト、スプリンクラー等の設備品が、地上にて予め取り付けられている。また、ユニットバス１１５はスペースを設けておき、船内で取り付けを行う。
なお、分電盤は、出入口１１６（図１参照）が設けられる壁パネル８６の上方に取り付けられている。
ユニットキャビン７０の幅方向（長手方向と直交する方向）に突出する凸部３０１を設けることで、ユニットキャビン３００とユニットキャビン７０の両室にて、幅方向に大きなサイズであるベッド等の設備品を取り付けても、ユニットキャビン３００，７０の室内空間が狭くならないよう工夫がされている。
【００５５】
第１の分割体７１と第２の分割体７２との分割位置は、後述するように船内を搬送し据え付ける際に、船殻ピラー１０１ｂをかわすような位置で分割するが、本実施形態では特に、壁パネル８１と８４の分割位置は凸部３０１に設けられ、もう一方となる壁パネル８２と８５の分割位置は、凹所を形成する部分に設けられている。また、後に接合（連結）される分割部分は、壁パネルの段付き部分なので、ユニットキャビン７０の室内側より見えにくい位置にあるが、さらに、ベッド、化粧デスク、据え付け家具、収納スペース等の設備品で隠れることで、美観を損なわないような分割位置と設備品の位置を選定することが好ましい。
【００５６】
壁体８１の、壁体８３と連結される側と反対側の端部は、ユニットキャビン７０の幅方向（長手方向と直交する方向）に突出する凸部３０１を取り囲むような形状、例えば、図１４に示すような断面視コ字形状とされ、壁体８１と、壁体８４とは、ユニットキャビン７０の移動後の据え付け時には、例えば、図１０に示すような接合（連結）構造６１を介して接合（連結）される。
一方、壁体８５の、壁体８６と連結される側と反対側の端部は、船殻ピラー１０１ｂ（図１４参照）を取り囲むような形状、例えば、図１０に示すような断面視コ字形状とされ、壁体８２と、壁体８５とは、ユニットキャビン７０の移動後の据え付け時には、例えば、図１０に示すような接合（連結）構造６１を介して接合（連結）される。
接合構造６１については、第２実施形態のところで説明したので、ここではその説明を省略する。
【００５７】
つぎに、本実施形態に係るユニットキャビン７０の据え付け方法を説明する。
まず、図１１に示すように、地上にて直方体形状に組み立てられた一体型のユニットキャビン３００をクレーン等で吊り上げて船内に搬入し、ユニットキャビン３００に仮付けされたキャスター等を用いて、図１１に白抜き矢印で示すように移動させ、ユニットキャビン３００を図１２に示す所定の位置まで移動させる。
ユニットキャビン３００が所定の位置まで移動したら、ユニットキャビン３００に仮付けされていたキャスター等を取り外し、ユニットキャビン３００を所定の位置に据え付け（固定）をする。
【００５８】
つづいて、図１３に示すように、地上にて組み立てられた分割型のユニットキャビン７０の第１の分割体７１および第２の分割体７２をクレーン等で吊り上げて船内に搬入し、第１の分割体７１に仮付けされたキャスター等を用いて、図１３に実線矢印で示すように、船殻ピラー１０１ｂをかわすように（船殻ピラー１０１ｂに当たらないように）第１の分割体７１を上方から見て時計方向に回転させながら第１の分割体７１を図１３に実線で示す所定の位置まで移動させる。
つぎに、図１４に示すように、第２の分割体７２に仮付けされたキャスター等を用いて、図１４に実線矢印で示すように、船殻ピラー１０１ｂをかわすように（船殻ピラー１０１ｂに当たらないように）第２の分割体７２を上方から見て反時計方向に回転させながら第２の分割体７２を図１４に実線で示す所定の位置まで移動させる。
【００５９】
つづいて、ユニットキャビン７０の室外側から複数本のボルト６５を挿入して順次締め付けていき、第１の分割体７１と第２の分割体７２とを接合（連結）する。
第１の分割体７１と第２の分割体７２とを接合したら、第１の分割体７１および第２の分割体７２に仮付けされていたキャスター等を取り外し、第１の分割体７１および第２の分割体７２を所定の位置に据え付け（固定し）、天井面を形成する天板（図示せず）を壁体８１，８２，８３，８４，８５，８６の内側に形成された空間の上方を覆う（塞ぐ）ようにして配置し、天板を壁体８１，８２，８３，８４，８５，８６の上端面に固定して、ユニットキャビン７０の据え付けを完了する。
なお、ユニットキャビン７０の床面としては、当該ユニットキャビン７０が設置されるデッキのデッキ上面が利用される。また、別途に、床面を追加して設置しても良い。
【００６０】
本実施形態に係るユニットキャビン７０およびその据え付け方法によれば、長手方向において二分割された第１の分割体７１および第２の分割体７２を、船殻ピラー１０１ｂをかわすようにして（船殻ピラー１０１ｂに当たらないようにして）、順次据え付けていくことにより、ユニットキャビンの幅方向（長手方向と直交する方向）に隣り合う２つのユニットキャビン７０，３００を所定の位置に据え付ける際に船殻ピラー１０１ｂが干渉してしまう場合でも、ユニットキャビン７０，３００を所定の位置に容易に据え付けることができる。
そして、本実施形態に係るユニットキャビン７０およびその据え付け方法を用いれば、船内に設置するキャビンへのユニットキャビン工法による施工ができる割合が向上して、陸上の作業環境の良い場所でユニットキャビン７０を施工するため、キャビンの品質確保が容易になる。
また、本実施形態に係るユニットキャビン７０の据え付け方法に係る船舶（例えば、客船）によれば、船内へ設置するキャビンへのユニットキャビン工法による施工が可能な割合が大幅に向上して、キャビンを設置する艤装時間を短縮することができ、建造期間の短縮を図ることができる。
【００６１】
また、本実施形態に係るユニットキャビン７０およびその据え付け方法によれば、第１の分割体７１と第２の分割体７２とを接合するボルト６５が、壁パネル８１，８２，８４，８５の外面からボルト６５の頭が突出するようにして締結されることになるので、ボルト６５の頭がユニットキャビン７０の室外側だけに突出し、ユニットキャビン７０の室内側の壁面を平滑に保つことができ、ユニットキャビン７０の室内の美観が損なわれるのを回避することができる。
【００６２】
さらに、本実施形態に係るユニットキャビン７０およびその据え付け方法によれば、凹所内に船殻ピラー１０１ｂが位置するようにセットした後、船殻ピラー１０１ｂを中心に凹所が回転するようにして第２の分割体７２を回転させるだけで、第２の分割体７２を所定の位置に容易に据え付けることができる。第２の分割体７２の移動するルートに試行錯誤することなく適切な据え付け位置への移動が可能となる。
また、凹所を形成する部分だけがユニットキャビン７０の室内側に突出することになるので、隣室の壁パネルとの隙間スペースを最小に保ちながら、ユニットキャビン７０の室内空間の減少を最小限に抑えることができる。
また、凹所を形成する部分がユニットキャビン７０の室内側より見えないように、化粧デスク、据え付け家具、収納スペース等の設備品で隠れるようにすることで、美観を損なわないようにすることができる。
【００６３】
なお、本発明は上述した実施形態に限定されるものではなく、適宜必要に応じて変形・変更して実施することもできる。
例えば、上述した実施形態では、２個１組のユニットキャビンのうちの一方のみが二つの分割体に分割されたものを一具体例として挙げて説明したが、本発明はこれに限定されるものではなく、双方のユニットキャビンを二つの分割体に分割されたものとすることもできる。
【００６４】
また、上述した実施形態では、長手方向において第１の分割体と、第２の分割体とに二分割され得るものを一具体例として挙げて説明したが、本発明はこれに限定されるものではなく、長手方向において三分割以上に分割されるものであってもよい。
【００６５】
さらに、本発明は、上述した第１実施形態、第２実施形態および図１５に示す「ストレートタイプ」と呼ばれるユニットキャビン、第３実施形態および図１６に示す「インターロックタイプ１」と呼ばれるユニットキャビンのみに適用され得るものではなく、図１７に示す「インターロックタイプ２」と呼ばれるユニットキャビンや、図１８に示す「波タイプ」と呼ばれるユニットキャビン等にも適用可能である。
【符号の説明】
【００６６】
１０  ユニットキャビン
１１  第１の分割体
１２  第２の分割体
２１  壁パネル
２２  壁パネル
２３  壁パネル
２４  壁パネル
２５  壁パネル
２６  壁パネル
３５  ボルト
４０  ユニットキャビン
４１  第１の分割体
４２  第２の分割体
５１  壁パネル
５２  壁パネル
５３  壁パネル
５４  壁パネル
５５  壁パネル
５６  壁パネル
６５  ボルト
７０  ユニットキャビン
７１  第１の分割体
７２  第２の分割体
８１  壁パネル
８２  壁パネル
８３  壁パネル
８４  壁パネル
８５  壁パネル
８６  壁パネル
１０１  船殻ピラー
【図１】
2014133519.tif 000003
【図２】
2014133519.tif 000004
【図３】
2014133519.tif 000005
【図４】
2014133519.tif 000006
【図５】
2014133519.tif 000007
【図６】
2014133519.tif 000008
【図７】
2014133519.tif 000009
【図８】
2014133519.tif 000010
【図９】
2014133519.tif 000011
【図１０】
2014133519.tif 000012
【図１１】
2014133519.tif 000013
【図１２】
2014133519.tif 000014
【図１３】
2014133519.tif 000015
【図１４】
2014133519.tif 000016
【図１５】
2014133519.tif 000017
【図１６】
2014133519.tif 000018
【図１７】
2014133519.tif 000019
【図１８】
2014133519.tif 000020
【図１９】
2014133519.tif 000021
【図２０】
2014133519.tif 000022